(57)【特許請求の範囲】
【請求項１】
ケース（９）内に、空気が過圧溶融された空気溶融湯水を吐出する第１のノズル（１）と、湯水を吐出する第２のノズル（２）とが設けられ、前記第１のノズル（１）はケース（９）内に空気溶融湯水の通路を有し前記第２のノズル（２）にはケース（９）内に湯水の通路を有して前記第１のノズル（１）からの空気溶融湯水の吐出と前記第２のノズル（２）からの湯水の吐出とが択一的に行われる構成と成し、前記ケース（９）内の空気溶融湯水の通路は前記第２のノズル（２）からの湯水吐出動作時には前記第１のノズル（１）に空気を供給する前記空気通路を兼用して該空気通路から前記第１のノズル（１）に空気が供給されるときには該第１のノズル（１）から空気が吐出される構成と成し、該空気と前記第２のノズルから吐出する湯水とによりジェット噴流泡を形成して該ジェット噴流泡を前記泡噴出口（２３）から噴出する機能を有しており、前記第１のノズル（１）の先端側は筒形状を呈して、その筒形状の内部の筒孔状の孔は空気溶融湯水の通路と成し、前記第１のノズル（１）の筒孔状の孔の先端は閉口と成して、該第１のノズル（１）の先端側の筒形状の側壁には前記空気溶融湯水の通路を外部に連通させるための前記側壁を貫通する貫通孔が１つまたは互いにその筒形状の側壁を周回する方向に間隔を介して複数形成されて該貫通孔が前記第１のノズル（１）における前記空気溶融湯水の湯水吐出口（６）と成しており、ケース（９）内には前記第１のノズル（１）の空気溶融湯水の湯水吐出口配設領域を含むノズル先端側領域を前記第１のノズル（１）の外周側と間隔を介して覆う筒形状のノズルカバー壁（７）が設けられ、該ノズルカバー壁（７）の筒形状の先端側は前記第１のノズル（１）の先端側よりも先方側に突き出しており、前記ノズルカバー壁（７）の側周壁の内壁は表面に凹凸が形成されて前記第１のノズル（１）から前記空気溶融湯水を吐出するときに前記空気溶融湯水にキャビテーションを生じさせて白濁泡を発生させる白濁泡発生部（３）の凹凸壁（８）と成し、該凹凸壁（８）に向けて前記第１のノズル（１）の空気溶融湯水の湯水吐出口（６）から空気溶融湯水をケース（９）内に吐出するときには、該空気溶融湯水を前記凹凸壁（８）に衝突させてキャビテーションを生じさせて白濁泡を発生させ、該白濁泡を前記ノズルカバー壁（７）の筒形状の筒口先端からケース（９）内に吐出し、該白濁泡を前記ケース（９）に設けられた泡噴出口（２３）から噴出する機能を有していることを特徴とする白濁泡・ジェット噴流泡噴出装置。
【請求項２】
第１のノズル（１）の先端側の筒形状の側壁を貫通して第１のノズル（１）の湯水吐出口（６）を形成する貫通孔は、その貫通方向が前記第１のノズル（１）の内部の筒状孔の半径方向に対して筒形状の側壁を周回する方向に斜めにずれた方向に形成されて、前記湯水吐出口（６）から吐出する空気溶融湯水を白濁泡発生部（３）の凹凸壁（８）へ斜め向きに衝突させることを特徴とする請求項１記載の白濁泡・ジェット噴流泡噴出装置。
【請求項３】
第１のノズル（１）の湯水吐出口（６）を形成する貫通孔は、その貫通方向が前記第１のノズル（１）の内周の周回方向の面に対して接線方向に形成されていることを特徴とする請求項２記載の白濁泡・ジェット噴流泡噴出装置。
【請求項４】
ケース（９）には湯水吸い込み口（１８）が設けられ、該湯水吸い込み口（１８）からケース（９）内に吸い込まれる湯水がケース（９）内に設けられた流通路を通して白濁泡・ジェット噴流泡噴出装置に接続される外部の湯水流路（３９）に導かれる構成としたことを特徴とする請求項１乃至請求項３のいずれか一つに記載の白濁泡・ジェット噴流泡噴出装置。
【請求項５】
請求項１乃至請求項４のいずれか一つに記載の白濁泡・ジェット噴流泡噴出装置を有し、白濁泡・ジェット噴流泡噴出装置におけるケース（９）内の第１のノズル（１）の筒状の空気溶融湯水の通路に接続された外部の空気溶融湯水の供給通路（３５）と白濁泡・ジェット噴流泡噴出装置におけるケース（９）内の第２のノズル（２）の筒状の湯水の通路に接続された外部の湯水の供給通路（３６）は共に接続切り替え部（３８）を介して湯水供給源（３７）に接続されており、該湯水供給源（３７）は湯水流路（３９）を通して流入してくる湯水に空気を過圧溶融する空気過圧溶融部（３３）に接続されて該空気過圧溶融部（３３）のオン動作によって空気が過圧溶融された空気溶融湯水を導入して該空気溶融湯水の供給源と成し、「前記空気過圧溶融部（３３）をオンした状態で前記接続切り替え部（３８）を制御して空気溶融湯水を前記湯水供給源（３７）から前記空気溶融湯水の供給通路（３５）に供給し、前記空気溶融湯水を第１のノズル（１）の先端側から吐出させて白濁泡発生部（３）により白濁泡を発生させて該白濁泡をケース（９）の泡噴出口（２３）から外部へ噴出させる白濁泡噴出動作」と、「前記空気過圧溶融部（３３）をオフした状態で前記接続切り替え部（３８）を制御して前記空気過圧溶融部（３３）によって空気が過圧溶融されていない湯水を前記湯水供給源（３７）に導入して該湯水供給源（３７）から前記湯水の供給通路（３６）に供給し、前記湯水を第２のノズル（２）の先端側から吐出させると共に前記第１のノズル（１）には空気通路を兼用する前記空気溶融湯水の供給通路（３５）を通して空気を導入して該空気を前記第１のノズル（１）の先端側から出し、該空気と前記第２のノズル（２）の先端側から吐出する湯水とによりジェット噴流泡をケース（９）内に形成して該ジェット噴流泡を前記ケース（９）の泡噴出口（２３）から外部へ噴出させるジェット噴流泡噴出動作」とを切り替え制御する泡噴出切り替え制御装置（４０）が設けられていることを特徴とする白濁泡・ジェット噴流泡噴出システム。
【発明の詳細な説明】
【技術分野】
【０００１】
本発明は、例えば浴槽等の湯水槽内の湯水に大気中の空気を過圧溶融させた後、湯水槽にその湯水を再度送り込んで湯水槽に微細な気泡（白濁泡）を噴出する機能と、白濁泡よりは大きい気泡（ジェット噴流泡）を発生させる機能とを備えた白濁泡・ジェット噴流泡噴出装置およびその白濁泡・ジェット噴流泡噴出装置を用いた白濁泡・ジェット噴流泡噴出システムに関するものである。
【背景技術】
【０００２】
例えば浴槽内に白濁泡噴出装置を設け、この装置から微細な気泡を吐出することにより白濁泡を発生させることが行われている。このように、白濁泡を発生させると、入浴した人の保温性を高めたり、汚れを落としやすくできたりするといった効果があり、近年、その需要が伸びてきている。また、白濁泡よりは大きい気泡のジェット噴流泡を勢いよく噴出させるジェット噴流泡噴出装置も用いられており、ジェット噴流泡も、入浴者の血行をよくする等の利点があり、その需要が伸びてきている。
【０００３】
さらに、上記のような利点を有する白濁泡とジェット噴流泡の両方を、その時々で切り替えて噴出可能な装置も提案されるようになった（例えば、特許文献１参照。）。
【０００４】
白濁泡は、空気が過圧溶融された空気溶融湯水をノズル等から吐出し、この湯水にキャビテーションを発生させて吐出する。一方、ジェット噴流泡を発生させるためには、湯水をケース内に勢いよく（高速で）噴出することによりエジェクタ効果を生じさせると共に、前記ケース内に空気を導入することにより、比較的大きな泡が混入した水流を作り出し、噴出する。
【０００５】
したがって、白濁泡とジェット噴流泡の両方を切り替えて噴出可能とするには、例えば図５に示すように、白濁泡・ジェット噴流泡噴出装置１０に、白濁泡発生用の湯水吐出ノズル１１と、ジェット噴流泡発生用の湯水吐出ノズル４と、空気吐出ノズル５との３本のノズルを設ける必要がある。また、白濁泡・ジェット噴流泡噴出装置１０には、白濁泡発生用の湯水吐出のノズル１１に空気溶融湯水の供給通路となる管路５１を接続し、ジェット噴流泡発生用の湯水吐出ノズル４に湯水の供給通路となる管路５２を接続し、空気吐出ノズル５に空気供給通路となる管路５３を接続する必要がある。
【０００６】
また、白濁泡・ジェット噴流泡噴出装置１０を浴槽２０等の湯水槽に取り付け、この白濁泡・ジェット噴流泡噴出装置１０に、湯水槽の湯水を吸い込む湯水吸い込み口を設けるとすると、湯水吸い込み口１８を、前記管路５１〜５３が接続されている湯水や空気の供給側の装置に接続するための管路５４も必要となる。したがって、合計４本の管路を用いて白濁泡・ジェット噴流泡噴出装置１０を前記供給側の装置に接続することになる。
【０００７】
【特許文献１】特許第３０８７４１６号公報
【発明の開示】
【発明が解決しようとする課題】
【０００８】
ところで、白濁泡・ジェット噴流泡噴出装置１０を広く普及させるためには、その設置コストを安くすることが望まれるが、上記のように、白濁泡・ジェット噴流泡噴出装置１０と前記供給側の装置とを接続するためには、４本の管路５１〜５４が必要となるために、その配管コストが高くなり、白濁泡・ジェット噴流泡噴出装置の配置コストが高くなってしまうといった問題があった。
【０００９】
本発明は、上記従来の課題を解決するために成されたものであり、その目的は、配管コストを安くでき、それにより、設置コストを安くできる白濁泡・ジェット噴流泡噴出装置およびその白濁泡・ジェット噴流泡噴出装置を用いた白濁泡・ジェット噴流泡噴出システムを提供することにある。
【課題を解決するための手段】
【００１０】
上記目的を達成するために、本発明は次のような構成をもって課題を解決するための手段としている。すなわち、第１の発明の白濁泡・ジェット噴流泡噴出装置は、ケース（９）内に、空気が過圧溶融された空気溶融湯水を吐出する第１のノズル（１）と、湯水を吐出する第２のノズル（２）とが設けられ、前記第１のノズル（１）はケース（９）内に空気溶融湯水の通路を有し前記第２のノズル（２）にはケース（９）内に湯水の通路を有して前記第１のノズル（１）からの空気溶融湯水の吐出と前記第２のノズル（２）からの湯水の吐出とが択一的に行われる構成と成し、前記ケース（９）内の空気溶融湯水の通路は前記第２のノズル（２）からの湯水吐出動作時には前記第１のノズル（１）に空気を供給する前記空気通路を兼用して該空気通路から前記第１のノズル（１）に空気が供給されるときには該第１のノズル（１）から空気が吐出される構成と成し、該空気と前記第２のノズルから吐出する湯水とによりジェット噴流泡を形成して該ジェット噴流泡を前記泡噴出口（２３）から噴出する機能を有しており、前記第１のノズル（１）の先端側は筒形状を呈して、その筒形状の内部の筒孔状の孔は空気溶融湯水の通路と成し、前記第１のノズル（１）の筒孔状の孔の先端は閉口と成して、該第１のノズル（１）の先端側の筒形状の側壁には前記空気溶融湯水の通路を外部に連通させるための前記側壁を貫通する貫通孔が１つまたは互いにその筒形状の側壁を周回する方向に間隔を介して複数形成されて該貫通孔が前記第１のノズル（１）における前記空気溶融湯水の湯水吐出口（６）と成しており、ケース（９）内には前記第１のノズル（１）の空気溶融湯水の湯水吐出口配設領域を含むノズル先端側領域を前記第１のノズル（１）の外周側と間隔を介して覆う筒形状のノズルカバー壁（７）が設けられ、該ノズルカバー壁（７）の筒形状の先端側は前記第１のノズル（１）の先端側よりも先方側に突き出しており、前記ノズルカバー壁（７）の側周壁の内壁は表面に凹凸が形成されて前記第１のノズル（１）から前記空気溶融湯水を吐出するときに前記空気溶融湯水にキャビテーションを生じさせて白濁泡を発生させる白濁泡発生部（３）の凹凸壁（８）と成し、該凹凸壁（８）に向けて前記第１のノズル（１）の空気溶融湯水の湯水吐出口（６）から空気溶融湯水をケース（９）内に吐出するときには、該空気溶融湯水を前記凹凸壁（８）に衝突させてキャビテーションを生じさせて白濁泡を発生させ、該白濁泡を前記ノズルカバー壁（７）の筒形状の筒口先端からケース（９）内に吐出し、該白濁泡を前記ケース（９）に設けられた泡噴出口（２３）から噴出する機能を有している構成をもって課題を解決する手段としている。
【００１２】
さらに、第２の発明の白濁泡・ジェット噴流泡噴出装置は、上記第１の発明の構成に加え、前記第１のノズル（１）の先端側の筒形状の側壁を貫通して第１のノズル（１）の湯水吐出口（６）を形成するする貫通孔は、その貫通方向が前記第１のノズル（１）の内部の筒状孔の半径方向に対して筒形状の側壁を周回する方向に斜めにずれた方向に形成されて、前記湯水吐出口（６）から吐出する空気溶融湯水を白濁泡発生部（３）の凹凸壁（８）へ斜め向きに衝突させることを特徴とする。
【００１３】
さらに、第３の発明の白濁泡・ジェット噴流泡噴出装置は、上記第２の発明の構成に加え、前記第１のノズル（１）の湯水吐出口（６）を形成する貫通孔は、その貫通方向が前記第１のノズル（１）の内周の周回方向の面に対して接線方向に形成されていることを特徴とする。
【００１４】
さらに、第４の発明の白濁泡・ジェット噴流泡噴出装置は、上記第１乃至第３のいずれか一つの発明の構成に加え、前記ケース（９）には湯水吸い込み口（１８）が設けられ、該湯水吸い込み口（１８）からケース（９）内に吸い込まれる湯水がケース（９）内に設けられた流通路を通して白濁泡・ジェット噴流泡噴出装置に接続される外部の湯水流路（３９）に導かれる構成としたことを特徴とする。
【００１５】
さらに、第５の発明の白濁泡・ジェット噴流泡噴出システムは、上記第１乃至第４のいずれか一つの発明の白濁泡・ジェット噴流泡噴出装置を有し、白濁泡・ジェット噴流泡噴出装置におけるケース（９）内の第１のノズル（１）の筒状の空気溶融湯水の通路に接続された外部の空気溶融湯水の供給通路（３５）と白濁泡・ジェット噴流泡噴出装置におけるケース（９）内の第２のノズル（２）の筒状の湯水の通路に接続された外部の湯水の供給通路（３６）は共に接続切り替え部（３８）を介して湯水供給源（３７）に接続されており、該湯水供給源（３７）は湯水流路（３９）を通して流入してくる湯水に空気を過圧溶融する空気過圧溶融部（３３）に接続されて該空気過圧溶融部（３３）のオン動作によって空気が過圧溶融された空気溶融湯水を導入して該空気溶融湯水の供給源と成し、「前記空気過圧溶融部（３３）をオンした状態で前記接続切り替え部（３８）を制御して空気溶融湯水を前記湯水供給源（３７）から前記空気溶融湯水の供給通路（３５）に供給し、前記空気溶融湯水を第１のノズル（１）の先端側から吐出させて白濁泡発生部（３）により白濁泡を発生させて該白濁泡をケース（９）の泡噴出口（２３）から外部へ噴出させる白濁泡噴出動作」と、「前記空気過圧溶融部（３３）をオフした状態で前記接続切り替え部（３８）を制御して前記空気過圧溶融部（３３）によって空気が過圧溶融されていない湯水を前記湯水供給源（３７）に導入して該湯水供給源（３７）から前記湯水の供給通路（３６）に供給し、前記湯水を第２のノズル（２）の先端側から吐出させると共に前記第１のノズル（１）には空気通路を兼用する前記空気溶融湯水の供給通路（３５）を通して空気を導入して該空気を前記第１のノズル（１）の先端側から出し、該空気と前記第２のノズル（２）の先端側から吐出する湯水とによりジェット噴流泡をケース（９）内に形成して該ジェット噴流泡を前記ケース（９）の泡噴出口（２３）から外部へ噴出させるジェット噴流泡噴出動作」とを切り替え制御する泡噴出切り替え制御装置（４０）が設けられている構成をもって課題を解決する手段としている。
【発明の効果】
【００１６】
本発明の白濁泡・ジェット噴流泡噴出装置によれば、ケース内に、第１と第２のノズルが設けられており、第１のノズルには空気溶融湯水の供給通路が連通され第２のノズルには湯水の供給通路が連通されて前記第１のノズルからの空気溶融湯水の吐出と前記第２のノズルからの湯水の吐出とが択一的に行われる構成と成しており、第１のノズルから前記空気溶融湯水を吐出するときには、この空気溶融湯水に、ケース内に設けられた白濁泡発生部によってキャビテーションを生じさせて白濁泡を発生させ、該白濁泡を前記ケースの泡噴出口から噴出することができる。
【００１７】
また、本発明の白濁泡・ジェット噴流泡噴出装置によれば、前記空気溶融湯水の供給通路は、前記第２のノズルからの湯水吐出動作時には前記第１のノズルに空気を供給する空気通路を兼用することとし、該空気通路から前記第１のノズルに空気が供給されるときには、第１のノズルから空気が吐出されるので、この空気と前記第２のノズルから吐出する湯水とによりジェット噴流泡を形成して該ジェット噴流泡を噴出することができる。
【００１８】
つまり、本発明の白濁泡・ジェット噴流泡噴出装置は、白濁泡噴出時には第１のノズルから空気溶融湯水を吐出して白濁泡を噴出でき、一方、ジェット噴流泡噴出時には第１のノズルから空気を吐出して該空気と前記第２のノズルから噴出する湯水とによりジェット噴流泡を形成して噴出できるので、空気吐出用の専用のノズルを設けなくても、噴出する泡の種類に応じて第１のノズルから吐出する流体（空気溶融湯水または空気）が選択されることにより、白濁泡とジェット噴流泡とを選択的に噴出することができる。
【００１９】
したがって、空気吐出用の専用のノズルを省略できる分だけ装置構成を簡略化でき、装置コストを安くできると共に、空気吐出用の専用のノズルに連通する管路を省略することができ、その分だけ配管コストを安くでき、それにより、設置コストを安くできる。
【００２０】
また、本発明の白濁泡・ジェット噴流泡噴出装置においては、第１のノズル第１のノズルは先端側が筒形状を呈して、その先端側の筒周壁に１つまたは互いに周方向に間隔を介して複数設けられた貫通孔を湯水吐出口としており、この湯水吐出口配設領域を含むノズル先端側領域を筒形状のノズルカバー壁で覆い、ノズルカバー壁の側周壁の内壁の凹凸壁に向けて湯水吐出口から湯水を吐出し、該湯水を前記凹凸壁に衝突させてキャビテーションを生じさせて白濁泡を発生させるので、第１のノズルの湯水吐出口から吐出する湯水の勢いが大きくなくても効率的にキャビテーションを発生することができる。
【００２１】
そのため、本発明によれば、湯水に空気を過圧溶融するためのポンプ等の装置を小型化でき、この白濁泡・ジェット噴流泡噴出装置を備えた白濁泡・ジェット噴流泡噴出システムの小型化、低コスト化を図ることができる。
【００２２】
さらに、本発明の白濁泡・ジェット噴流泡噴出装置において、第１のノズルの湯水吐出口を形成する貫通孔は、その貫通方向が内部の筒状孔の半径方向に対して筒形状の側壁を周回する方向に斜めにずれた方向に形成されて、前記湯水吐出口から吐出する空気溶融湯水を白濁泡発生部の凹凸壁へ斜め向きに衝突させる構成によれば、第１のノズルの湯水吐出口から吐出する湯水の勢いが大きくなくても、より一層効率的にキャビテーションを発生することができる。そのため、この構成を備えた本発明によれば、湯水に空気を過圧溶融するためのポンプ等の装置の小型化と白濁泡・ジェット噴流泡噴出システムの小型化、低コスト化をより一層図ることができる。
【００２３】
さらに、本発明の白濁泡・ジェット噴流泡噴出装置において、第１のノズルの湯水吐出口を形成する貫通孔は、その貫通方向が前記ノズルの内周の周回方向の面に対して接線方向に形成されている構成によれば、第１のノズルの湯水吐出口から吐出する湯水の勢いが大きくなくても、さらにより一層効率的に（最適な条件で）キャビテーションを発生することができる。そのため、この構成を備えた本発明によれば、湯水に空気を過圧溶融するためのポンプ等の装置の小型化と白濁泡・ジェット噴流泡噴出システムの小型化、低コスト化をさらにより一層図ることができる。
【００２４】
さらに、本発明の白濁泡・ジェット噴流泡噴出装置において、ケースには湯水吸い込み口が設けられ、該湯水吸い込み口から吸い込まれる湯水が白濁泡・ジェット噴流泡噴出装置に接続された湯水流路を通って空気溶融湯水の供給通路と湯水の供給通路とに導かれる構成としたものによれば、湯水吸い込み口を白濁泡・ジェット噴流泡噴出装置とは別に設ける場合に比べ、白濁泡・ジェット噴流泡噴出システムの構成を簡略化でき、白濁泡・ジェット噴流泡噴出システムの小型化、低コスト化を一層図ることができる。
【００２５】
さらに、本発明の白濁泡・ジェット噴流泡噴出システムによれば、本発明の白濁泡・ジェット噴流泡噴出装置を適用することにより、空気吐出用の専用のノズルに連通する通路を設ける必要は無く、その分だけ配管コストを安くでき、それにより、設置コストを安くできる。
【００２６】
また、本発明の白濁泡・ジェット噴流泡噴出システムによれば、空気溶融湯水の供給通路と湯水の供給通路は共に接続切り替え部を介して湯水供給源に接続されており、該湯水供給源は空気溶融部に接続されて該空気溶融部のオン動作によって空気が溶融された空気溶融湯水の供給源と成しているので、空気溶融部をオンした状態で前記接続切り替え部を制御し、空気溶融湯水を前記湯水供給源から前記空気溶融湯水の供給通路に供給すれば、この空気溶融湯水を利用して白濁泡を発生できる。また、前記空気溶融部をオフした状態で前記接続切り替え部を制御し、湯水を前記湯水供給源から前記湯水の供給通路に供給すれば、その湯水と、第１のノズルから出す空気によりジェット噴流泡を発生できる。
【００２７】
つまり、本発明のシステムは、空気溶融部のオンオフ動作と、接続切り替え部を制御することとを行って、第１のノズルから空気溶融湯水を吐出する動作と第２のノズルから湯水を吐出する動作とを択一的に行い、白濁泡の発生とジェット噴流泡の発生を択一的に行うことができるので、発生した白濁泡の噴出とジェット噴流泡の噴出とを容易に、かつ、適切に行うことができ、しかも、第１のノズルへの空気溶融湯水の供給源と第２のノズルへの湯水の供給源を別々に設けるよりも装置構成を簡略化できる。
【発明を実施するための最良の形態】
【００２８】
以下、本発明の実施の形態を、図面を参照して説明する。なお、本実施形態例の説明において、従来例と同一名称部分には同一符号を付し、その重複説明は省略する。図１には、本発明に係る白濁泡・ジェット噴流泡噴出装置の一実施形態例が分解図により示されており、図２には、その外観構成が斜視図により示されている。また、図３には、この白濁泡・ジェット噴流泡噴出装置を適用した白濁泡・ジェット噴流泡噴出システムの構成が模式図により示されている。
【００２９】
これらの図に示すように、本実施形態例の白濁泡・ジェット噴流泡噴出装置１０は、ケース９を有している。ケース９は、ケース本体９ａと蓋部９ｂとを有し、ケース本体９ａ内には、空気が過圧溶融された空気溶融湯水を吐出する第１のノズル１と、湯水を吐出する第２のノズル２とが設けられている。なお、本実施形態例では、第１のノズル１と第２のノズル２は、これらのノズル１，２をケース９内に取り付けるためのノズル取り付け具４３を備えたノズルユニット４２としてユニット化されている。
【００３０】
また、第１のノズル１には空気溶融湯水の供給通路３５が連通され、前記第２のノズル２には湯水の供給通路３６が連通されて、第１のノズル１からの空気溶融湯水の吐出と第２のノズル２からの湯水の吐出とが択一的に行われる構成と成している。
【００３１】
なお、本実施形態例においては、白濁泡・ジェット噴流泡噴出システムが、図３に示すように形成されており、白濁泡・ジェット噴流泡噴出装置１０は、浴槽２０等の湯水槽の側壁１３がわに設けられている。空気溶融湯水の供給通路３５と湯水の供給通路３６は共に、接続切り替え部としての三方弁３８（接続切り替え部３８）を介し、湯水供給源であるタンク３７（湯水供給源３７）に接続されており、このタンク３７は、空気溶融部としての空気過圧溶融部３３に接続され、該空気過圧溶融部３３のオン動作によって空気が溶融された空気溶融湯水の供給源と成す。
【００３２】
前記空気過圧溶融部３３の構成は、特に限定されるものではないが、この例では、空気過圧溶融部３３は、ベーンポンプ２１ａ、渦巻きポンプ２１ｂ、白濁用空気吸入弁１９を有して構成されている。湯水通路３９に設けられた流水スイッチ４５で通水を検知した状態で、白濁用空気吸入弁１９を開いて空気を導入し、この空気を、前記湯水吸い込み口１８から吸い込まれる湯水にベーンポンプ２１ａを用いて過圧溶融させ、渦巻きポンプ２１ｂによりタンク３７に導く。過圧溶融できなかった余剰空気は、タンク３７によって分離され、自動空気抜き弁３２から抜き出される。
【００３３】
本実施形態例において、前記空気過圧溶融部３３をオンした状態、つまり、白濁用空気吸入弁１９を開いて空気を導入し、タンク３７内の湯水に空気を過圧溶融した状態（タンク３７内の湯水を空気溶融湯水とした状態）で、三方弁３８を制御し、空気溶融湯水をタンク３７から前記空気溶融湯水の供給通路３５に供給すると、空気溶融湯水が第１のノズル１の先端側から吐出する。
【００３４】
図１に示すように、前記ケース９内には、白濁泡発生部３が第１のノズルの湯水吐出口近傍に設けられている。この白濁泡発生部３は、第１のノズル１から前記空気溶融湯水を吐出するときに、前記空気溶融湯水にキャビテーションを生じさせて白濁泡を発生させるものである。
【００３５】
この白濁泡発生部３は、以下のように構成されている。つまり、図１に示すように、第１のノズル１の先端側は筒形状を呈しており、図４に示すように、第１のノズル１の湯水吐出口６は、第１のノズル１の筒形状の先端側の筒周壁１５に互いに周方向に間隔を介して複数設けられた貫通孔により形成され、第１のノズル１の筒先は閉口と成している。
【００３６】
また、第１のノズル１の湯水吐出口６の配設領域を含むノズル先端側領域を第１のノズル１の外周側と間隔を介して覆う筒形状のノズルカバー壁７が設けられており、このノズルカバー壁７の筒形状の先端側は、前記第１のノズル１の先端側よりも先方側に突き出している。ノズルカバー壁７の側周壁の内壁は表面に凹凸が形成された凹凸壁８と成しており、図４（ａ）に示すように、ノズルカバー壁７と第１のノズル１とは、互いに位置決めされた状態でねじなどの固定用部材５０により固定されている。
【００３７】
本実施形態例では、凹凸壁８に向けて第１のノズル１の前記湯水吐出口６から湯水を吐出し、該湯水を凹凸壁８に衝突させてキャビテーションを生じさせて白濁泡を発生させる。そして、この白濁泡をノズルカバー壁７の筒形状の先端側からケース９内に吐出する。なお、ノズルカバー壁７の筒口先端には筒壁から内側に張り出した枠壁部１２が形成されて該枠部に囲まれた開口部が白濁泡口と成しており、この開口部に消音オリフィスが形成されている。
【００３８】
また、図４（ｂ）に示すように、第１のノズル１の湯水吐出口６を形成する貫通孔は、その貫通方向が第１のノズル１の筒径方向に対して筒周方向に斜めにずれた方向に形成されており、さらに詳しく説明すると、湯水吐出口６の貫通方向は、第１のノズル１の内周の接線方向に形成されている。
【００３９】
本実施形態例において、白濁泡発生部３は以上のように構成され、白濁泡・ジェット噴流泡噴出装置１０は、この白濁泡発生部３により白濁泡を発生して該白濁泡を噴出する機能を有している。白濁泡は、ケース９に設けられた泡噴出口２３から噴出する。泡噴出口２３は、押さえ具４１を介してケース本体９ａに取り付けられる筒状部材４４の先端側に設けられている。
【００４０】
また、本実施形態例の白濁泡・ジェット噴流泡噴出装置１０は、以下のようにして、ジェット噴流泡を泡噴出口２３から噴出する機能も有している。図３に示す本実施形態例の白濁泡・ジェット噴流泡噴出システムにおいて、前記空気過圧溶融部３３をオフした状態で、つまり、白濁用空気吸入弁１９を閉じた状態で、三方弁３８を制御し、湯水をタンク３７から湯水の供給通路３６に供給すると、第２のノズル２から湯水が吐出される。
【００４１】
この第２のノズル２からの湯水吐出動作時には、前記空気溶融湯水の供給通路３５は、前記第１のノズル１に空気を供給する空気通路を兼用する。つまり、第２のノズル２からの湯水吐出動作時には、ジェット用空気吸入弁３１が開状態とされ、供給通路３５（この状態では空気通路）から第１のノズル１に空気が供給され、該第１のノズル１の湯水吐出口６から空気が吐出される。
【００４２】
そして、本実施形態例の白濁泡・ジェット噴流泡噴出装置１０は、該空気と第２のノズル２から吐出する湯水とにより、第２のノズル２から高速噴出される湯水のエジェクタ効果と空気とを利用してジェット噴流泡を形成し、該ジェット噴流泡を、前記噴出口２７を介し、前記泡噴出口２３から噴出する。
【００４３】
また、前記ケース９のケース側壁には、湯水吸い込み口１８が設けられ、図１の矢印Ａに示すように、湯水吸い込み口１８から吸い込まれる湯水は、仕切りフィルタ板部１４の複数の貫通穴１６を通って吸い込み湯水路３４に入り、吸い込み湯水路３４に接続された湯水流路３９を通って、図３の矢印Ａに示すように、前記空気過圧溶融部３３に導かれ、タンク３７を介して、前記空気溶融湯水の供給通路３５と湯水の供給通路３６とに導かれる構成と成している。
【００４４】
本実施形態例では、白濁泡・ジェット噴流泡噴出システムは、泡噴出切り替え制御装置４０を有しており、この泡噴出切り替え制御装置４０が、白濁用空気吸入弁１９と三方弁３８とジェット用空気吸入弁３１とを制御して、白濁泡噴出動作とジェット噴流泡噴出動作とを切り替え制御する。
【００４５】
白濁泡噴出動作は、タンク３７内の湯水を空気溶融湯水として（泡噴出切り替え制御装置４０が白濁用空気吸入弁１９を開いて、空気過圧溶融部３３をオン状態とし）、この空気溶融湯水を、三方弁３８の制御によって空気溶融湯水の供給通路３５を介して第１のノズル１に供給し、該第１のノズル１の先端側から空気溶融湯水を吐出させて前記白濁泡発生部３により白濁泡を発生させ、該白濁泡をケース９の泡噴出口２３から噴出させる動作である。
【００４６】
ジェット噴流泡噴出動作は、タンク３７内の湯水に空気を溶融しない状態で（泡噴出切り替え制御装置４０が白濁用空気吸入弁１９を閉じて、空気過圧溶融部３３をオフ状態とし）、この湯水を、三方弁３８の制御によって湯水の供給通路３６を介して第２のノズル２に供給し、該第２のノズル２の先端側から湯水を吐出させると共に、ジェット用空気吸入弁３１を開き、空気通路を兼用する前記供給通路３５を通して第１のノズル１に空気（例えば室内の空気）を導入し、該空気を第１のノズル１の先端側から出し、該空気と第２のノズル２の先端側から吐出する湯水とによりジェット噴流泡を形成して該ジェット噴流泡を前記ケースの泡噴出口２３から噴出させる動作である。
【００４７】
本実施形態例は以上のように構成されており、本実施形態例では、図１の矢印Ａに示すように、湯水吸い込み口１８から吸い込まれる湯水が前記複数の貫通穴１６を通り、吸い込み湯水路３４、湯水通路３９を順に通って、図３に示す空気過圧溶融部３３を介し、タンク３７に導かれる。
【００４８】
そして、白濁泡・ジェット噴流泡噴出装置１０から白濁泡を噴出するときには、泡噴出切り替え制御装置４０による制御によって、空気過圧溶融部３３をオン状態とし、空気を過圧溶融した湯水を（余剰空気を分離した状態で）、図の矢印Ｂに示すように、空気溶融湯水の供給通路３５に通し、第１のノズル１に導き、その先端側から吐出する。一方、ジェット噴流泡を噴出するときには、空気過圧溶融部３３をオフ状態とし、図の矢印Ｃに示すように、湯水を、湯水の供給通路３６に通し、第２のノズル２に導き、その先端側から吐出する。
【００４９】
そして、第１のノズル１から空気溶融湯水を吐出するときには、第１のノズル１の湯水吐出口６からノズルカバー壁７の側周壁の内壁の凹凸壁８に向けて空気溶融湯水を吐出し、この空気溶融湯水を凹凸壁８に衝突させてキャビテーションを生じさせて白濁泡を発生させ、白濁泡をケース９に設けられた泡噴出口２３からケース９の外部に噴出する。
【００５０】
また、第２のノズル２から湯水を吐出するときには、泡噴出切り替え制御装置４０の制御によってジェット用空気吸入弁３１を開き、空気通路を兼用する前記空気溶融湯水の供給通路３５を通して第１のノズル１に空気を導入し、該空気を第１のノズル１の先端側から出す。そして、この空気と第２のノズル２の先端側から吐出する湯水とにより、空気のエジェクタ効果によってジェット噴流泡を形成し、該ジェット噴流泡を、噴出口２７を介してケース９に設けられた泡噴出口２３から噴出する。
【００５１】
本実施形態例の白濁泡・ジェット噴流泡噴出装置１０によれば、ケース９内に、第１と第２のノズル１，２が設けられており、第１のノズル１からの空気溶融湯水の吐出と第２のノズルからの湯水の吐出とが択一的に行われる構成と成し、第１のノズル１から空気溶融湯水を吐出するときには、この空気溶融湯水に、ケース９内の白濁泡発生部３によってキャビテーションを生じさせて白濁泡を発生させ、該白濁泡を前記ケースの泡噴出口から噴出することができるし、第２のノズル２から湯水を吐出するときには、第１のノズル１から空気を出してジェット噴流泡を形成し、該ジェット噴流泡を噴出することができる。
【００５２】
つまり、本実施形態例の白濁泡・ジェット噴流泡噴出装置１０は、空気吐出用の専用のノズルを設けなくても、ジェット噴流泡を噴出できるので、空気吐出用の専用のノズルに連通する管路を省略することができ、その分だけ白濁泡・ジェット噴流泡噴出装置１０の装置構成を簡略化でき、装置コストを安くできるし、白濁泡・ジェット噴流泡噴出装置１０と空気過圧溶融部３３側を接続する配管コストを安くでき、それにより、白濁泡・ジェット噴流泡噴出装置１０およびそのシステムの設置コストを安くできる。
【００５３】
また、本実施形態例の白濁泡・ジェット噴流泡噴出装置１０によれば、第１のノズル１は先端側が筒形状を呈して、その先端側の筒周壁に１つまたは互いに周方向に間隔を介して複数設けられた貫通孔を湯水吐出口６としており、この湯水吐出口配設領域を含むノズル先端側領域を筒形状のノズルカバー壁７で覆い、ノズルカバー壁７の側周壁の内壁の凹凸壁８に向けて湯水吐出口６から湯水を吐出し、該湯水を前記凹凸壁８に衝突させてキャビテーションを生じさせて白濁泡を発生させるので、第１のノズル１の湯水吐出口から吐出する湯水の勢いが大きくなくても効率的にキャビテーションを発生することができる。
【００５４】
そのため、湯水に空気を過圧溶融するためのベーンポンプ２１ａ等の装置を小型化でき、白濁泡・ジェット噴流泡噴出システムの小型化、低コスト化を図ることができる。
【００５５】
さらに、本実施形態例の白濁泡・ジェット噴流泡噴出装置１０では、第１のノズル１の湯水吐出口６を形成する貫通孔は、その貫通方向が前記ノズルの筒径方向に対して筒周方向に斜めにずれた方向に形成されており、その貫通方向が第１のノズル１の内周の接線方向に形成されているので、第１のノズル１の湯水吐出口６から吐出する湯水の勢いが大きくなくても、さらにより一層効率的に（最適な条件で）キャビテーションを発生することができる。そのため、湯水に空気を過圧溶融するためのベーンポンプ２１ａ等の装置の小型化と白濁泡・ジェット噴流泡噴出システムの小型化、低コスト化をさらにより一層図ることができる。
【００５６】
さらに、本実施形態例によれば、ケース９には湯水吸い込み口１８が設けられ、該湯水吸い込み口１８から吸い込まれる湯水が白濁泡・ジェット噴流泡噴出装置１０に接続された湯水流路３９を通って空気過圧溶融部３３に導かれ、空気溶融湯水の供給通路３５と湯水の供給通路３６とに導かれるので、湯水吸い込み口１８を白濁泡・ジェット噴流泡噴出装置１０とは別に設ける場合に比べ、白濁泡・ジェット噴流泡噴出システムの構成を簡略化でき、白濁泡・ジェット噴流泡噴出システムの小型化、低コスト化を一層図ることができる。
【００５７】
さらに、本実施形態例の白濁泡・ジェット噴流泡噴出システムによれば、空気溶融湯水の供給通路３５と湯水の供給通路３６は共に、タンク３７に三方弁３８を介して接続されており、該三方弁３８を制御することにより、空気溶融湯水を第１のノズル１吐出する動作と湯水を第２のノズル２から吐出する動作とを択一的に行うことができるので、第１のノズル１への空気溶融湯水の供給源と第２のノズル２への湯水の供給源を別々に設けるよりも装置構成を簡略化でき、泡噴出切り替え制御装置４０により三方弁３８の開弁方向を制御して、容易に、かつ、的確に、白濁泡とジェット噴流泡を択一的に噴出することができる。
【００５８】
なお、本発明は上記実施形態例に限定されることはなく、様々な実施の態様を採り得る。例えば、上記実施形態例では、ケース９は、その正面形状が、矩形状に形成されていたが、ケース９の形状は適宜設定されるものである。
【００５９】
また、上記実施形態例では、第１のノズル１の湯水吐出口６は、第１のノズル１の内周の接線方向に形成したが、必ずしも第１のノズル１の接線方向に形成するとは限らず、湯水吐出口６の形成の仕方は特に限定されるものでなく、適宜設定されるものである。ただし、その貫通方向が第１のノズル１の接線方向に形成されることが最も望ましく、少なくとも、その貫通方向が第１のノズル１の筒径方向に対して筒周方向に斜めにずれた方向に形成されていると、その貫通方向が第１のノズル１の筒径方向に形成されている場合に比べてキャビテーションを発生しやすいために好ましい。
【００６０】
さらに、上記実施形態例では、第１のノズル１の湯水吐出口６は複数形成したが、湯水吐出口６は第１のノズル１の筒周壁１５に１つ形成してもよい。
【００６１】
さらに、上記実施形態例では、ケース９のケース側周壁に湯水吸い込み口１８が設けられていたが、湯水吸い込み口１８は、ケース９の外に、白濁泡・ジェット噴流泡噴出装置１０とは別に設けてもよい。
【００６４】
さらに、上記実施形態例では、図３に示したような白濁泡・ジェット噴流泡噴出システムを形成したが、本発明の白濁泡・ジェット噴流泡噴出装置は、図３に示した以外のシステムに適用することもできる。つまり、例えば第１のノズル１に連通させる空気溶融湯水の供給通路への空気溶融湯水の供給源と、第２のノズル２に連通させる湯水の供給通路への湯水の供給源とは別個に設けてもよいし、空気過圧溶融部３３の構成も適宜設定されるものである。
【００６５】
さらに、上記実施形態例では、白濁泡・ジェット噴流泡噴出装置１０を浴槽２０に設けたが、白濁泡・ジェット噴流泡噴出装置１０の取り付け場所は、浴槽２０以外の湯水槽の側壁でもよい。
【図面の簡単な説明】
【００６６】
【図１】本発明に係る白濁泡・ジェット噴流泡噴出装置の一実施形態例を分解状態で模式的に示す要部断面構成図である。
【図２】上記実施形態例の白濁泡・ジェット噴流泡噴出装置の外観を示す斜視説明図である。
【図３】上記実施形態例の白濁泡・ジェット噴流泡噴出装置を備えた白濁泡・ジェット噴流泡噴出システムの例を示す説明図である。
【図４】上記実施形態例の白濁泡・ジェット噴流泡噴出装置における白濁泡発生部の構成を、縦断面図（ａ）と湯水吐出口形成領域で切断した横断面図（ｂ）により示す説明図である。
【図５】白濁泡・ジェット噴流泡噴出装置の構成案を模式的に示す説明図である。
【符号の説明】
【００６７】
１  第１のノズル
２  第２のノズル
３  白濁泡発生部
６  湯水吐出口
７  ノズルカバー壁
８  凹凸壁
９  ケース
１０  白濁泡・ジェット噴流泡噴出装置
１５  筒周壁
２０  浴槽
３３  空気過圧溶融部
３８  三方弁
４０  泡噴出切り替え制御装置
【図１】
0004745842.tif 000002
【図２】
0004745842.tif 000003
【図３】
0004745842.tif 000004
【図４】
0004745842.tif 000005
【図５】
0004745842.tif 000006